(57)【特許請求の範囲】
【請求項１】
開閉脚可能な相対する脚体を備え、開脚状態でそれらの脚体により支持面上に自立し得る、物品支持用の支持体であって、
水平状支持部材、第１縦部材、第２縦部材、第１頬杖部材、第２頬杖部材、第１連結部材、及び第２連結部材を有してなる閉脚支持機構を備えており、
前記相対する一方の脚体及び他方の脚体にそれぞれ第１縦部材及び第２縦部材の上方部が何れも回動可能に連結され、
前記水平状支持部材における前記開閉脚の動作方向に間隔を隔てた２位置にそれぞれ前記第１縦部材及び第２縦部材の下端部が何れも回動可能に連結され、
前記第１縦部材及び第２縦部材における、下端部と各脚体に連結された上方部との間の位置に、前記第１頬杖部材及び第２頬杖部材の一方部が何れも回動可能に連結され、
前記水平状支持部材における前記第１縦部材下端部及び第２縦部材下端部よりもそれぞれ内方の位置に前記第１連結部材の一端部及び第２連結部材の一端部が何れも回動可能に連結され、それらの第１連結部材及び第２連結部材の他端側の部分と前記第１頬杖部材及び第２頬杖部材の他方端部が回動可能に連結されており、
前記各部材の回動可能な連結における回動軸線の方向は、何れも前記開閉脚の動作方向に対しほぼ垂直なほぼ水平方向であり、
前記相対する脚体が開脚して自立した状態である場合、第１縦部材及び第２縦部材の上方部がそれぞれ前記両脚体と共に外方に開いてそれらの第１縦部材及び第２縦部材はそれぞれ上外方に傾斜し、第１連結部材と第１頬杖部材の連結部及び第２連結部材と第２頬杖部材の連結部が共に、第１縦部材と第１頬杖部材の連結部と第１連結部材と水平状支持部材の連結部を結ぶ直線及び第２縦部材と第２頬杖部材の連結部と第２連結部材と水平状支持部材の連結部を結ぶ直線よりも上方に位置し、水平状支持部材は開脚した脚体の下端位置より高く位置し、
前記相対する脚体が閉脚した状態である場合、第１縦部材及び第２縦部材の上方部がそれぞれ前記両脚体と共に内方に閉じてそれらの第１縦部材及び第２縦部材はそれぞれ上内方に傾斜し、第１連結部材と第１頬杖部材の連結部及び第２連結部材と第２頬杖部材の連結部が、それぞれ第１連結部材と水平状支持部材の連結部及び第２連結部材と水平状支持部材の連結部よりも内方側に位置し、且つ水平状支持部材の高さと同等位置又はそれよりも高い位置に位置し、水平状支持部材は閉脚した脚体の下端位置より低い位置又はその高さと同等の位置に位置し、少なくとも水平状支持部材が前記支持面に接する状態でその支持面上に自立し得ることを特徴とする支持体。
【請求項２】
相対する脚体が閉脚した状態において、第１連結部材と第１頬杖部材の連結部及び第２連結部材と第２頬杖部材の連結部が、それぞれ第１連結部材と水平状支持部材の連結部及び第２連結部材と水平状支持部材の連結部よりも内方側であり、第１縦部材と第１頬杖部材の連結部及び第２縦部材と第２頬杖部材の連結部よりも内方側であって、水平状支持部材の高さと同等位置に位置し、その水平状支持部材又は支持面により支持される請求項１記載の支持体。
【請求項３】
脚体の下端部に車輪を備え、脚体が車輪において支持面上に自立して車輪の回動により走行し得る請求項１又は３記載の支持体。
【請求項４】
請求項１、２又は３記載の支持体に収容袋が支持されてなる収容カート。
【発明の詳細な説明】
【０００１】
【発明の属する技術分野】
本発明は、オフィスビル、公共施設、ホテル、病院等の様々な施設の清掃作業に伴うゴミ回収・運搬やホテル、病院等における使用済みのシーツ・タオル等の回収・運搬に用いる回収袋支持カート等の収容カート及びその支持体に関する。
【０００２】
【従来の技術及び発明が解決しようとする課題】
支持体の例としての回収袋支持カートとしては、両縦脚部の上端部同士が水平部で連結されてなる上下逆Ｕ字状の脚体一対を、両脚体の水平部同士が平行となるように、相対する脚体の対応する縦脚部の中間部同士において回動軸を介して回動可能に連結してなり、両脚体における連結された縦脚部同士が、開脚時には回動軸を中心として上下が開いてＸ字状となることにより支持面上に自立し得、閉脚時には上下共に閉じるものが使用されている。この場合、開脚自立状態を維持するために、両脚体の下部同士を、開脚保持用の屈伸部材により、開脚時には伸び、閉脚時には屈曲するように連結している。相対する脚体が開脚した状態において両脚体の水平部同士が平行に開いた状態となり、閉脚状態において両脚体の水平部同士が平行に閉じた状態となる。この両水平部においてゴミ収容袋等の開口部を支持することにより、開脚時に収容袋の開口部が開いた状態で回収袋支持カートとして使用することができる。
【０００３】
しかしながら、このような回収袋支持カートは、閉脚状態において自然に開脚してしまうことや、特に脚体の下端に自在車輪を設けている場合に、脚体の開脚及び移動が生じることがあった。これを防ぐために、自在車輪にストッパを設け、ストッパを作動させるものがあったが、ストッパの作動及び移動時における解除の操作が煩雑であった。
【０００４】
一方、特許文献１には、台枠の後部材とゴミ袋支持枠の後部材とを支柱を介して回動可能に連結し、上記連結部には上記台枠の面とゴミ袋支持枠の面とが略平行に、かつ支柱に対して略直角に維持できる機構を備え、上記台枠の後方に車輪と前方に控え金を設けた折り畳みゴミ袋支持枠が記載されている。
【０００５】
この折り畳みゴミ袋支持枠によれば、保管や移送のときは折り畳んで嵩低くすることができ、使用時には所定の場所に組立てて配置し、溜まったゴミの回収・集積は台枠に設けられた車輪で手軽に運ぶことができるので、保管・移送のスペースを小さくでき、ゴミ籠のセッティングやゴミの回収の労力を軽減することができる。
【０００６】
しかしながら、特許文献１記載の折り畳みゴミ袋支持枠は、折畳及び組立ての際に支柱に対し台枠とゴミ袋支持枠を回動させて固定及び固定解除を行わなければならず、而も折り畳んで起立状態を維持することはできない。
【特許文献１】
特開２０００−１２８３０４号公報
【０００７】
本発明は、従来技術に存した上記のような課題に鑑み行われたものであって、その目的とするところは、閉脚時に閉脚状態及び自立状態を維持し且つ移動を防ぐことができ、開閉脚等の操作が容易な支持体及び収容カートを提供することにある。
【０００８】
【課題を解決するための手段】
上記目的を達成する本発明の支持体は、
開閉脚可能な相対する脚体を備え、開脚状態でそれらの脚体により支持面上に自立し得る、物品支持用の支持体であって、
水平状支持部材、第１縦部材、第２縦部材、第１頬杖部材、第２頬杖部材、第１連結部材、及び第２連結部材を有してなる閉脚支持機構を備えており、
前記相対する一方の脚体及び他方の脚体にそれぞれ第１縦部材及び第２縦部材の上方部が何れも回動可能に連結され、
前記水平状支持部材における前記開閉脚の動作方向に間隔を隔てた２位置にそれぞれ前記第１縦部材及び第２縦部材の下端部が何れも回動可能に連結され、
前記第１縦部材及び第２縦部材における、下端部と各脚体に連結された上方部との間の位置に、前記第１頬杖部材及び第２頬杖部材の一方部が何れも回動可能に連結され、
前記水平状支持部材における前記第１縦部材下端部及び第２縦部材下端部よりもそれぞれ内方の位置に前記第１連結部材の一端部及び第２連結部材の一端部が何れも回動可能に連結され、それらの第１連結部材及び第２連結部材の他端側の部分と前記第１頬杖部材及び第２頬杖部材の他方端部が回動可能に連結されており、
前記各部材の回動可能な連結における回動軸線の方向は、何れも前記開閉脚の動作方向に対しほぼ垂直なほぼ水平方向であり、
前記相対する脚体が開脚して自立した状態である場合、第１縦部材及び第２縦部材の上方部がそれぞれ前記両脚体と共に外方に開いてそれらの第１縦部材及び第２縦部材はそれぞれ上外方に傾斜し、第１連結部材と第１頬杖部材の連結部及び第２連結部材と第２頬杖部材の連結部が共に、第１縦部材と第１頬杖部材の連結部と第１連結部材と水平状支持部材の連結部を結ぶ直線及び第２縦部材と第２頬杖部材の連結部と第２連結部材と水平状支持部材の連結部を結ぶ直線よりも上方に位置し、水平状支持部材は開脚した脚体の下端位置より高く位置し、
前記相対する脚体が閉脚した状態である場合、第１縦部材及び第２縦部材の上方部がそれぞれ前記両脚体と共に内方に閉じてそれらの第１縦部材及び第２縦部材はそれぞれ上内方に傾斜し、第１連結部材と第１頬杖部材の連結部及び第２連結部材と第２頬杖部材の連結部が、それぞれ第１連結部材と水平状支持部材の連結部及び第２連結部材と水平状支持部材の連結部よりも内方側に位置し、且つ水平状支持部材の高さと同等位置又はそれよりも高い位置に位置し、水平状支持部材は閉脚した脚体の下端位置より低い位置又はその高さと同等の位置に位置し、少なくとも水平状支持部材が前記支持面に接する状態でその支持面上に自立し得ることを特徴とする。
【０００９】
本発明の収容カートは、このような支持体に収容袋が支持されてなるものである。
【００１０】
相対する脚体を開脚して自立させた場合、閉脚支持機構における、両脚体に連結された第１縦部材及び第２縦部材の上方部（上端部でもよい）がそれぞれ前記両脚体と共に外方に開いてそれらの第１縦部材及び第２縦部材はそれぞれ上外方に傾斜し、それに伴い、水平状支持部材は開脚した脚体の下端位置より高い位置に引き上げられる。
【００１１】
この状態で、第１連結部材と第１頬杖部材の連結部、及び第２連結部材と第２頬杖部材の連結部が、共に、第１縦部材と第１頬杖部材の連結部（第１頬杖部材の一方部［一端部でもよい］）と第１連結部材と水平状支持部材の連結部を結ぶ直線、及び第２縦部材と第２頬杖部材の連結部（第２頬杖部材の一方部［一端部でもよい］）と第２連結部材と水平状支持部材の連結部を結ぶ直線よりも上方に位置する。
【００１２】
相対する脚体を閉脚すると、閉脚支持機構における第１縦部材及び第２縦部材の上方部がそれぞれ前記両脚体と共に内方に閉じてそれらの第１縦部材及び第２縦部材はそれぞれ上内方に傾斜すると共に、第１連結部材と第１頬杖部材の連結部及び第２連結部材と第２頬杖部材の連結部は、何れも内方へ移動してそれぞれ第１連結部材と水平状支持部材の連結部及び第２連結部材と水平状支持部材の連結部よりも内方側に位置し、且つ水平状支持部材の高さと同等位置又はそれよりも高い位置に位置するものとなる。それに伴い、水平状支持部材は、押し下げられた後やや上昇し、閉脚した脚体の下端位置より低い位置又はその高さと同等の位置に位置し（前者、すなわち低い位置が好ましい。）、少なくとも水平状支持部材が前記支持面に接する状態でその支持面上に自立し得る状態となる。
【００１３】
このような閉脚自立状態においては、支持体の自重及び支持体に載荷される荷重が脚体を介して第１縦部材及び第２縦部材にかかるが、これらの第１縦部材及び第２縦部材はそれぞれ上内方に傾斜しているため、脚体を閉じる向きに作用する。そのため、閉脚状態において自重により脚体が開脚することが防がれ、少なくとも水平状支持部材が支持面に接してその支持面上に支持体が自立する状態が維持され、支持体の移動も防がれる。
【００１４】
このような閉脚支持機構は、脚体の開閉に伴い作動するものであって、特別な操作を要しないので、支持体全体として簡単な操作により、閉脚時に閉脚状態及び自立状態を維持し且つ移動を防ぐことができ、開脚時にはそれらを解除することができる。
【００１５】
支持体を構成する開閉脚可能な相対する脚体（例えばステンレス鋼製のパイプ等からなるものとすることができる。）としては、例えば、両縦脚部の上端部同士が水平部で連結されてなる上下逆Ｕ字状の脚体一対を、両脚体の水平部同士が平行となるように、相対する脚体の対応する縦脚部の中間部同士において回動軸を介して回動可能に連結してなり、両脚体における連結された縦脚部同士が、開脚時には回動軸を中心として上下が開いてＸ字状となることにより支持面上に自立し得、閉脚時には上下共に閉じるものとすることができる。この場合、開脚自立状態を維持するために、両脚体の下部同士を、開脚保持用の屈伸部材（例えば二つ折り屈伸部材）により、開脚時には伸び、閉脚時には屈曲するように連結するものとすることができる。また例えば、両縦脚部の上端部同士が水平部で連結されてなる上下逆Ｕ字状の脚体一対を、直立状態で平行状に相対させ、相対する縦脚部同士を拡縮可能な連結体（例えば、上下共にＸ字状に開くことにより間隔を拡大し、上下共に閉じることにより間隔を縮小するよう中央部同士で回動可能に連結された２部材における一方の上端部と他方の下端部を一方の脚体に例えば一方の部材の上端部を固定連結し他方の部材の下端部を上下摺動可能に連結し、他方の上端部と一方の下端部も同様に他方の脚体に連結するもの。）により連結し、両脚体の下部同士を開脚保持用の屈伸部材により、開脚時には伸び、閉脚時には屈曲するように連結するものとすることができる。これらの場合、相対する脚体が開脚した状態において両脚体の水平部同士が平行に開いた状態となり、閉脚状態において両脚体の水平部同士が平行に閉じた状態となるので、この両水平部において収容袋（例えばゴミ収容袋、シーツやタオル等の使用済品収容袋等）の開口部を支持することにより、開脚時に収容袋の開口部が開いた状態で収容カートとして使用することができる。
【００１６】
本発明における支持体としては、脚体の下端部に車輪（好ましくは自在車輪）を備え、脚体が車輪において支持面上に自立して車輪の回動により走行し得るものであることが望ましい。
【００１７】
閉脚支持機構を構成する水平状支持部材、第１縦部材、第２縦部材、第１頬杖部材、第２頬杖部材、第１連結部材、及び第２連結部材は、何れもステンレス鋼等からなる剛性的な部材とすることができ、その形状は、例えば棒状、又は平板状、Ｌ形断面形状、若しくは溝形断面形状の部材、特に細長部材とすることができるがこれに限るものではない。なお、閉脚支持機構における各連結部は、ほぼ一定平面（好ましくは垂直平面）内にあるものとすることができるがこれに限るものではない。
【００１８】
水平状支持部材は、水平状底板部を備えるもの、例えばＬ形断面の一辺部を水平状底板部とするもの又は溝形断面の一辺部を水平状底板部とするものとすることができる。
【００１９】
本発明の支持体は、相対する脚体が閉脚した状態において、水平状支持部材が脚体の下端位置より低い位置に位置し、脚体における一部の下端部と水平状支持部材により支持面上に傾斜状態で自立し得るものとすることができる。相対する脚体が閉脚した状態において、水平状支持部材が脚体の下端位置より低い位置に位置する場合に、その水平状支持部材のみによっては支持体が自立し得ないときは、支持体は、水平状支持部材に対し何れかの側に傾斜し、脚体のうち下降傾斜側の下端部と水平状支持部材により支持面上に傾斜状態で自立し得る。
【００２０】
また本発明の支持体は、相対する脚体が閉脚した状態において、水平状支持部材が脚体の下端位置より低い位置に位置し、その水平状支持部材のみが支持面に接して自立し得るものとすることができる。この場合、例えば、水平状支持部材を、脚体の開閉脚の動作方向に対しほぼ垂直なほぼ水平方向の所定長にわたるものとすることにより、又は、水平状支持部材を、開閉脚の動作方向に対しほぼ垂直なほぼ水平方向の所定長を隔てた２箇所以上に有するものとすることにより、或いは、閉脚支持機構を、開閉脚の動作方向に対しほぼ垂直なほぼ水平方向の所定長を隔てた２箇所以上に有するものとすることにより、支持体の閉脚状態における水平状支持部材のみによる自立性を高めることができる。
【００２１】
本発明の支持体は、相対する脚体が閉脚した状態において、第１連結部材と第１頬杖部材の連結部及び第２連結部材と第２頬杖部材の連結部が、それぞれ第１連結部材と水平状支持部材の連結部及び第２連結部材と水平状支持部材の連結部よりも内方側であり、第１縦部材と第１頬杖部材の連結部及び第２縦部材と第２頬杖部材の連結部よりも内方側であって、水平状支持部材の高さと同等位置に位置し、その水平状支持部材又は支持面により支持されるものとすることが好ましい。
【００２２】
相対する脚体が閉脚して支持体が支持面上に自立する状態において、第１連結部材と第１頬杖部材の連結部及び第２連結部材と第２頬杖部材の連結部が、それぞれ第１連結部材と水平状支持部材の連結部及び第２連結部材と水平状支持部材の連結部よりも内方側に位置するので、第１頬杖部材及び第２頬杖部材はそれぞれ下内方に傾斜する。
【００２３】
この場合、第１頬杖部材及び第２頬杖部材の他方端部である第１連結部材及び第２連結部材との連結部は、それぞれ第１連結部材と水平状支持部材の連結部及び第２連結部材と水平状支持部材の連結部よりも内方側において水平状支持部材又は支持面により支持されるので、第１縦部材及び第２縦部材にかかる支持体の自重及び支持体に載荷される荷重が、第１頬杖部材及び第２頬杖部材にかかり、更に、垂直方向において水平状支持部材又は支持面により支持され、水平方向外方に、第１連結部材及び第２連結部材、従って水平状支持部材により支持される。一方第１縦部材及び第２縦部材は、垂直方向において水平状支持部材により支持され、水平方向内方にも、水平状支持部材により支持される。
【００２４】
そのため、相対する脚体が閉脚して支持体が支持面上に自立する状態において、閉脚支持機構が支持体の自重及び支持体に載荷される荷重を安定的に支持して閉脚状態及び支持体の自立状態を維持し、支持体の移動も防ぐ。
【００２５】
【発明の実施の形態】
本発明の実施の形態を、図面を参照しつつ説明する。
【００２６】
図面は何れも本発明の実施の形態の一例としての収容カートに関するものである。図１乃至図３は開脚状態を示すものであって、そのうち図１は斜視図、図２は正面図、図３は閉脚支持機構の概略図である。図４乃至図６は閉脚状態を示すものであって、そのうち図４は斜視図、図５は正面図、図６は閉脚支持機構の概略図である。
【００２７】
この収容カートは、ゴミ、或いはシーツやタオル等の使用済品等の収容に用いることができるものであり、支持体と、支持体に支持された収容袋からなる。
【００２８】
支持体は、開閉脚可能な相対する脚体１０・１２と、閉脚支持機構２８を備える。
【００２９】
支持体を構成する開閉脚可能な相対する脚体１０・１２は、ステンレス鋼製のパイプからなる。支持体は、各両縦脚部１０ｂ・１２ｂの上端部同士が水平部１０ａ・１２ａで連結されてなる上下逆Ｕ字状の脚体１０・１２一対を、両脚体１０・１２の水平部１０ａ・１２ａ同士が平行となるように、相対する脚体１０・１２の対応する縦脚部１０ｂ・１２ｂの中間部同士において回動軸１４を介して回動可能に連結してなり、両脚体１０・１２における連結された縦脚部１０ｂ・１２ｂ同士が、開脚時には図１及び図２に示されるように回動軸１４を中心として上下が開いてＸ字状となることにより床面・路面等の支持面上に自立し得、閉脚時には上下共に閉じる。
【００３０】
各脚体１０・１２における各縦脚部１０ｂ・１２ｂの下端部１０ｃ・１２ｃは、開脚状態で床面等の支持面に対し直立状になるように、互いに他方の脚体の対応する縦脚部１０ｂ・１２ｂの側に屈曲している。それらの脚体１０・１２の下端部１０ｃ・１２ｃは、それぞれの下部に自在車輪１８を備え、脚体１０・１２が自在車輪１８において支持面上に自立して自在車輪１８の回動により走行し得る。
【００３１】
相対する脚体１０・１２が開脚した状態において両脚体１０・１２の水平部１０ａ・１２ａ同士が平行に開いた状態となり、閉脚状態において両脚体１０・１２の水平部１０ａ・１２ａ同士が平行に閉じた状態となる。両水平部１０ａ・１２ａに設けられたフック１６において収容袋２６の開口部を支持することにより、開脚時に収容袋２６の開口部が開いた状態で収容カートとして使用することができる。
【００３２】
各脚体１０・１２の両縦脚部１０ｂ・１２ｂの下部は、開閉脚の動作方向に対し垂直な水平方向に設けられた棒状の水平連結部材２０・２２により連結されている。両脚体１０・１２の水平連結部材２０・２２は平行状に相対し、開脚保持及び収容袋支持用の屈伸部材２４により連結されている。屈伸部材２４は、中間位置に設けられた屈伸軸２４ａを中心に二つ折りに屈伸する。開脚時には伸びて開脚自立状態を維持し、閉脚時には屈伸軸２４ａが上昇して二つ折りに屈曲する。
【００３３】
閉脚支持機構２８は、水平状支持部材Ａ、第１縦部材Ｂ１、第２縦部材Ｂ２、第１頬杖部材Ｃ１、第２頬杖部材Ｃ２、第１連結部材Ｄ１、及び第２連結部材Ｄ２を有してなる。これらは何れもステンレス鋼からなる剛性的な部材であり、その形状は、水平状支持部材Ａ以外は細長平板状である。水平状支持部材Ａは、一辺部を水平状底板部Ａ１とする細長Ｌ形断面板状である。
【００３４】
この閉脚支持機構２８においては、前記各部材が次のように互いに回動可能に連結されている。各部材の回動可能な連結における回動軸線の方向は、何れも開閉脚の動作方向に対しほぼ垂直なほぼ水平方向、すなわち水平連結部材２０・２２の軸線方向である。
【００３５】
相対する一方の脚体１０の水平連結部材２０及び他方の脚体１２の水平連結部材２２にそれぞれ第１縦部材Ｂ１及び第２縦部材Ｂ２の上端部に固定された水平円筒管部Ｂ１ａ・Ｂ２ａが何れも回動可能に外嵌されて連結されている。また水平状支持部材Ａの垂直部における開閉脚の動作方向（図２及び図５における左右方向）に間隔を隔てた２位置である両端に、それぞれ第１縦部材Ｂ１及び第２縦部材Ｂ２の下端部ｑ１・ｑ２が何れも回動可能に連結されている。
【００３６】
第１縦部材Ｂ１及び第２縦部材Ｂ２における、下端部ｑ１・ｑ２と各脚体１０・１２に連結された上端部である水平円筒管部Ｂ１ａ・Ｂ２ａとの間の位置には、第１頬杖部材Ｃ１及び第２頬杖部材Ｃ２の一端部が何れも回動可能に連結され、水平状支持部材Ａにおける第１縦部材下端部ｑ１及び第２縦部材下端部ｑ２よりもそれぞれやや内方の位置（両端よりもやや内方位置）に第１連結部材Ｄ１の一端部及び第２連結部材Ｄ２の一端部が何れも回動可能に連結され、それらの第１連結部材Ｄ１及び第２連結部材Ｄ２の他端部と第１頬杖部材Ｃ１及び第２頬杖部材Ｃ２の他端部が回動可能に連結されている。
【００３７】
支持面上で支持体の相対する脚体１０・１２を開脚すると、第１縦部材Ｂ１及び第２縦部材Ｂ２の上端部が水平円筒管部Ｂ１ａ・Ｂ２ａを介してそれぞれ両脚体１０・１２と共に外方に開いてそれらの第１縦部材Ｂ１及び第２縦部材Ｂ２はそれぞれ上外方に傾斜し、第１連結部材Ｄ１と第１頬杖部材Ｃ１の連結部ｓ１及び第２連結部材Ｄ２と第２頬杖部材Ｃ２の連結部ｓ２が共に、第１縦部材Ｂ１と第１頬杖部材Ｃ１の連結部ｐ１と第１連結部材Ｄ１と水平状支持部材Ａの連結部ｒ１を結ぶ直線及び第２縦部材Ｂ２と第２頬杖部材Ｃ２の連結部ｐ２と第２連結部材Ｄ２と水平状支持部材Ａの連結部ｒ２を結ぶ直線よりも上方に位置し、水平状支持部材Ａは開脚した脚体１０・１２の下端位置より高い位置に引き上げられる。従って、支持体は開脚した両脚体１０・１２の各自在車輪１８において走行可能に支持面上に自立した状態となる。
【００３８】
支持面上で開脚して自立した状態の相対する脚体１０・１２を閉脚すると、第１縦部材Ｂ１及び第２縦部材Ｂ２の上端部である水平円筒管部Ｂ１ａ・Ｂ２ａがそれぞれ両脚体１０・１２と共に内方に閉じてそれらの第１縦部材Ｂ１及び第２縦部材Ｂ２はそれぞれ上内方に傾斜する。また、第１連結部材Ｄ１と第１頬杖部材Ｃ１の連結部ｓ１及び第２連結部材Ｄ２と第２頬杖部材Ｃ２の連結部ｓ２が、それぞれ第１連結部材Ｄ１と水平状支持部材Ａの連結部ｒ１及び第２連結部材Ｄ２と水平状支持部材Ａの連結部ｒ２よりも内方側であり、第１縦部材Ｂ１と第１頬杖部材Ｃ１の連結部ｐ１及び第２縦部材Ｂ２と第２頬杖部材Ｃ２の連結部ｐ２よりも内方側であって、水平状支持部材Ａの水平状底板部Ａ１上に支持される。水平状支持部材Ａは、閉脚した脚体１０・１２の下端位置より低い位置に位置する。
【００３９】
第１連結部材Ｄ１と第１頬杖部材Ｃ１の連結部ｓ１及び第２連結部材Ｄ２と第２頬杖部材Ｃ２の連結部ｓ２は、何れも内方へ移動してそれぞれ第１連結部材Ｄ１と水平状支持部材Ａの連結部ｒ１及び第２連結部材Ｄ２と水平状支持部材Ａの連結部ｒ２よりも内方側であって、第１縦部材Ｂ１と第１頬杖部材Ｃ１の連結部ｐ１及び第２縦部材Ｂ２と第２頬杖部材Ｃ２の連結部ｐ２よりも内方側に位置し、水平状支持部材Ａの水平状底板部Ａ１上に支持される。それに伴い、水平状支持部材Ａは、押し下げられた後やや上昇し、閉脚した脚体１０・１２の下端位置より低い位置に位置する。
【００４０】
この場合、支持体は、水平状支持部材Ａのみによっては自立し得ないが、水平状支持部材Ａに対し何れかの側に傾斜し、脚体１０・１２のうち下降傾斜側の下端部１０ｃ・１２ｃ（自在車輪１８）と水平状支持部材Ａにより支持面上に傾斜状態で自立し得る。
【００４１】
このような閉脚自立状態においては、図４乃至６に示されるように、支持体の自重及び支持体に載荷される荷重が脚体１０・１２を介して第１縦部材Ｂ１及び第２縦部材Ｂ２にかかるが、これらの第１縦部材Ｂ１及び第２縦部材Ｂ２はそれぞれ上内方に傾斜しているため、脚体１０・１２を閉じる向きに作用する。そのため、閉脚状態において自重により脚体１０・１２が開脚することが防がれ、水平状支持部材Ａと脚体１０・１２のうち何れか（下降傾斜側）の下端部１０ｃ・１２ｃ（自在車輪１８）が支持面に接してその支持面上に支持体が自立する状態が維持され、支持体の移動も防がれる。
【００４２】
相対する脚体１０・１２が閉脚して支持体が支持面上に自立する状態において、第１連結部材Ｄ１と第１頬杖部材Ｃ１の連結部ｓ１及び第２連結部材Ｄ２と第２頬杖部材Ｃ２の連結部ｓ２が、それぞれ第１連結部材Ｄ１と水平状支持部材Ａの連結部ｒ１及び第２連結部材Ｄ２と水平状支持部材Ａの連結部ｒ２よりも内方側に位置するので、第１頬杖部材Ｃ１及び第２頬杖部材Ｃ２はそれぞれ下内方に傾斜する。
【００４３】
この場合、第１頬杖部材Ｃ１及び第２頬杖部材Ｃ２の他端部である第１連結部材Ｄ１及び第２連結部材Ｄ２との連結部ｓ１・ｓ２は、それぞれ第１連結部材Ｄ１と水平状支持部材Ａの連結部ｒ１及び第２連結部材Ｄ２と水平状支持部材Ａの連結部ｒ２よりも内方側において水平状支持部材Ａの水平状底板部Ａ１上に支持されるので、第１縦部材Ｂ１及び第２縦部材Ｂ２にかかる支持体の自重及び支持体に載荷される荷重が、第１頬杖部材Ｃ１及び第２頬杖部材Ｃ２にかかり、更に、垂直方向において水平状支持部材Ａの水平状底板部Ａ１上に支持され、水平方向外方に、第１連結部材Ｄ１及び第２連結部材Ｄ２、従って水平状支持部材Ａにより支持される。一方第１縦部材Ｂ１及び第２縦部材Ｂ２は、垂直方向において水平状支持部材Ａにより支持され、水平方向内方にも、水平状支持部材Ａにより支持される。
【００４４】
そのため、相対する脚体１０・１２が閉脚して支持体が支持面上に自立する状態において、閉脚支持機構２８が支持体の自重及び支持体に載荷される荷重を安定的に支持して閉脚状態及び支持体の自立状態を維持し、支持体の移動も防ぐ。
【００４５】
このような閉脚支持機構２８は、脚体１０・１２の開閉に伴い作動するものであって、特別な操作を要しないので、支持体全体として簡単な操作により、閉脚時に閉脚状態及び自立状態を維持し且つ移動を防ぐことができ、開脚時にはそれらを解除することができる。
【００４６】
なお、課題を解決するための手段の項において本発明について述べた例示及び数値範囲を含む説明は、原則として以上の実施の形態についての記述に適用される。
【００４７】
【発明の効果】
本発明の支持体及び収容カートは、脚体の開閉に伴い、特別な操作を要することなく閉脚支持機構が作動するので、支持体全体として簡単な操作により、閉脚時に閉脚状態及び自立状態を維持し且つ移動を防ぐことができ、開脚時にはそれらを解除することができる。
【図面の簡単な説明】
【図１】開脚状態の斜視図である。
【図２】開脚状態の正面図である。
【図３】開脚状態の閉脚支持機構の概略図である。
【図４】閉脚状態の斜視図である。
【図５】閉脚状態の正面図である。
【図６】閉脚状態の閉脚支持機構の概略図である。
【符号の説明】
１０      脚体
１０ａ    水平部
１０ｂ    縦脚部
１０ｃ    下端部
１２      脚体
１２ａ    水平部
１２ｂ    縦脚部
１２ｃ    下端部
１４      回動軸
１６      フック
１８      自在車輪
２０      水平連結部材
２２      水平連結部材
２４      屈伸部材
２４ａ    屈伸軸
２６      収容袋
２８      閉脚支持機構
Ａ        水平状支持部材
Ａ１      水平状底板部
Ｂ１      縦部材
Ｂ２      縦部材
Ｂ１ａ    水平円筒管部
Ｂ２ａ    水平円筒管部
Ｃ１      頬杖部材
Ｃ２      頬杖部材
Ｄ１      連結部材
Ｄ２      連結部材
ｐ１      連結部
ｐ２      連結部
ｑ１      下端部
ｑ２      下端部
ｒ１      連結部
ｒ２      連結部
ｓ１      連結部
ｓ２      連結部
【図１】
0003705790.tif 000002
【図２】
0003705790.tif 000003
【図３】
0003705790.tif 000004
【図４】
0003705790.tif 000005
【図５】
0003705790.tif 000006
【図６】
0003705790.tif 000007